(57)【要約】【課題】  ころ軸受の負荷容量を低下させずに、溶接による問題点を解消すること。【解決手段】  テーパーブッシュ１０の外径面に、２個のキリ穴１１を設け、第２側板６の内径面に、同数個の雌ネジ穴１２が設けられている。テーパーブッシュ１０の外径面に、２個のキリ穴１１と第２側板６の内径面の２個の雌ネジ穴１２との間に、ボルト１３をねじ込んでいくと、テーパーブッシュ１０に設けられたキリ穴１１の底面で拘束され、さらにネジ込んでいくことにより、テーパーブッシュ１０は、ボルト１３とともにピン７を締め付ける方向に進む。よって、ピン７とテーパーブッシュ１０および第２側板６に嵌め合い力が発生し、嵌め合い面の摩擦力でピン７を第２側板６に固定可能となる。【選択図】  図１
2006336698.tif 000002
【特許請求の範囲】
【請求項１】
中空ころの穴にピンが挿入され、ピンの一端がテーパーブッシュと側板で固定されたピンタイプ保持器付きころ軸受において、
前記テーパーブッシュの外径面に、複数個のキリ穴を設け、
前記側板の内径面に、複数個のねじ穴を設け、
前記ピンの端部を、前記テーパーブッシュと前記側板との間に設けた複数個のキリ穴およびねじ穴に、複数本のボルトをねじ込むことで、勘合させて、前記ピンを前記側板に固定させたことを特徴とするピンタイプ保持器付きころ軸受。
【請求項２】
前記テーパーブッシュのテーパ角は、ボルトをねじ込んでいくと、前記テーパーブッシュとピンが締め付けられるように設定されていることを特徴とする請求項１に記載のピンタイプ保持器付きころ軸受。
【請求項３】
前記ボルトの緩みを防止する為のボルト緩み防止策手段を付設したことを特徴とする請求項１又は２に記載のピンタイプ保持器付きころ軸受。
【発明の詳細な説明】
【技術分野】
【０００１】
本発明は、一般産業機械等に使用され、高負荷容量でかつ高強度保持器を要求されるピンタイプ保持器付きころ軸受に関する。
【背景技術】
【０００２】
従来、一般産業機械に使用され、高負荷容量でかつ高強度保持器を要求されるころ軸受には、ころ数を増やして負荷容量を増す為に、ころにピン穴を設けてピンと鋼板をボルトあるいは溶接にて固定するピンタイプ保持器付きころ軸受が用いられる。
【０００３】
ボルトで固定する手法として、特許文献１に開示してあるように、ピンの先端にねじ部を設け、側板の外に設けたナットを締め付けることにより、ピンと側板＋ブッシュを固定して、溶接による諸問題（特許文献１に記載）を解決する手法がある。
【０００４】
具体的には、図３は、従来例（特許文献１）に係るピンタイプ保持器付きころ軸受の断面図である。
【０００５】
図３に於いて、ピン７の一方の端部７ａが第１側板５に固定され、ピン７の他方の端部７ｂに平行ねじ７ｃを設け、ピン７の他方の端部７ｂを第２側板６に形成されたテーパ穴９を貫通させ、ピン７とテーパ穴９との間にテーパーブッシュ１０を圧入するとともにねじ７ｃにナット２０を締め込むことによりピン７と第２側板６を固定している。
【０００６】
これにより、互いに平行な第１側板５と、第２側板６間に固定され、ころ３を軸方向に貫通して回転可能に支持するピン７とを備えたころ軸受用保持器４において、第２側板６とピン７を溶接で固定することに伴う問題点を解消している。
【特許文献１】特開２００２−２０６５３６号公報
【発明の開示】
【発明が解決しようとする課題】
【０００７】
しかしながら、保持器側板の外にナットを設ける必要があり、結果として、軸受内部に対して、側板＋固定区間が必要となり、ころ長さが低下し、軸受負荷容量が低下するといった問題があった。
【０００８】
たとえ、ナットを側板の内部に入れたとしても、ブッシュの幅が狭くなり、固定力が低下する。
【０００９】
本発明は、上述したような事情に鑑みてなされたものであって、ころ軸受の負荷容量を低下させずに、溶接による問題点を解消することができる、ピンタイプ保持器付きころ軸受を提供することを目的とする。
【課題を解決するための手段】
【００１０】
上記の目的を達成するため、本発明に係るピンタイプ保持器付きころ軸受は、中空ころの穴にピンが挿入され、ピンの一端がテーパーブッシュと側板で固定されたピンタイプ保持器付きころ軸受において、
前記テーパーブッシュの外径面に、複数個のキリ穴を設け、
前記側板の内径面に、複数個のねじ穴を設け、
前記ピンの端部を、前記テーパーブッシュと前記側板との間に設けた複数個のキリ穴およびねじ穴に、複数本のボルトをねじ込むことで、勘合させて、前記ピンを前記側板に固定させたことを特徴とする。
【００１１】
好適には、前記テーパーブッシュのテーパ角は、ボルトをねじ込んでいくと、前記テーパーブッシュとピンが締め付けられるように設定されている。
【００１２】
また、好適には、前記ボルトの緩みを防止する為のボルト緩み防止策手段を付設している。
【発明の効果】
【００１３】
本発明によれば、側板の内部で固定することができる為、ころ長さの制限を受けずに、軸受負荷容量を向上させることが可能となる。従って、溶接による問題点ならびにナット固定による負荷容量の低下といった問題を解決し、さらに軸受負荷容量を向上させることが可能となり、長寿命で高信頼性のころ軸受の提供が可能となる．
【発明を実施するための最良の形態】
【００１４】
以下、本発明の実施の形態に係るピンタイプ保持器付きころ軸受を図面を参照しつつ説明する。
【００１５】
図１（ａ）は、本発明の実施の形態に係るピンタイプ保持器付きころ軸受の断面図であり、（ｂ）は、その側面図である。
【００１６】
保持器４は、互いに平行な一対の環状の側板５，６と、両側板５，６間を橋絡する複数のピン７と、を備える。
【００１７】
各ピン７は、ころ３の軸孔３ａを貫通してころ３を回転可能に支持する。
【００１８】
ピン７の一方の端部が第１側板５に固定され、ピン７の他方の端部７ｂが第２側板６に固定される。
【００１９】
ピン７は一方の端部７ａにテーパねじを有し、第１側板５に形成したテーパねじ穴８とねじ結合する。そのねじ締め作業を容易にするため、ピン７の他方の端部７ｂに、ねじ締め用の工具に適合する凸又は凹部（図示略）を設けておくのが望ましい。
【００２０】
ピン７の他方の端部７ｂと第２側板６との固定に関しては、第２側板６が第１側板５のテーパねじ穴８と対応する位置にテーパ穴９を有している。このテーパ穴９とピン７の端部７ｂとの間に、すり割り１４を設けたテーパーブッシュ１０を圧入する。すり割り１４のすきまδは、ピン７への締め付け前はテーパーブッシュ１０の内径がピン７の外径より若干大きく隙間を有し、締め付けることにより、締まり嵌めとなるように設定する。
【００２１】
ピン７の他方の端部は、すり割り１４入りのテーパーブッシュ１０と、第２側板６で固定されたピンタイプ保持器付きころ軸受であり、テーパーブッシュ１０の外径面に、２個のキリ穴１１を１８０°位相で対向させて設け、第２側板６の内径面に、同数個の雌ネジ穴１２がキリ穴１１と同位相で設けられている。キリ穴１１と雌ネジ穴１２は２個に限られず、２個以上でも同位相であれば良く、締め付け力を均一にするには等間隔に設けることが望ましい。なお、一方の穴を３個１２０°間隔で設け、他方の穴を６個６０°間隔で設けるようにしても良い。
【００２２】
第２側板６の内径面とテーパーブッシュ１０の外径面はほぼ同じ角度で、軸端側に向かうほど径が大きくなるテーパ形状となっており、テーパーブッシュ１０の外径面に、２個のキリ穴１１と第２側板６の内径面の２個の雌ネジ穴１２との間に、ボルト１３（セットビス）をねじ込んでいくと、テーパーブッシュ１０に設けられたキリ穴１１の底面で拘束され、さらにネジ込んでいくことにより、テーパーブッシュ１０は、ボルト１３とともにピン７を締め付ける方向に進む（あるいは側板が締め付ける方向へ進む）。
【００２３】
よって、ピン７とテーパーブッシュ１０および第２側板６に嵌め合い力が発生し、嵌め合い面の摩擦力でピン７を第２側板６に固定可能となる。
【００２４】
第１及び第２側板５，６間の位置決めは、あらかじめ所定のゲージをあてておくか、挿入されたころ３と第２側板６との間に、すきまゲージを挟むことで可能である。
【００２５】
したがって、第２側板６の厚さ内で固定することができる為、ころ３の長さの制限を受けずに、軸受負荷容量を向上させることが可能となる。
【００２６】
ボルト１３の緩み防止策としては、ロックタイトを用いた接着や図２（ａ）に示ようなボルト加締め等の機構的な方法がある。
【００２７】
すなわち、図２（ａ）は、本発明の実施の形態の第１変形例に係るピンタイプ保持器付きころ軸受の要部の断面図であり、ボルト１３（ビス）の頭部を加締めることにより、ボルト１３の緩みを防止している。
【００２８】
また、ボルト１３の緩み防止策としては、図２（ｂ）に示すように、バネ１５＋ダブルボルト１６等を利用すれば、回転力や振動等によるボルト１６の緩みが防止可能となる。
【００２９】
すなわち、図２（ｂ）は、本発明の実施の形態の第２変形例に係るピンタイプ保持器付きころ軸受の要部の断面図であり、バネ１５と、一対のボルト１６（セットビス）を組み合わせることにより、回転力や振動等によるボルト１６の緩みが防止可能となる。
【００３０】
さらに、軸受の点検において、保持器４を分解したい場合は、ボルト１３，１６を取り外すことで、容易に分解可能である。
【００３１】
また、さらに容易に分解したい場合は、テーパーブッシュ１０の外径面に、１個の雌ねじ穴１２と、第２側板６の内径面の１個のキリ穴１１を追加して設けておけば、その間に、ボルト１３（セットビス）をねじ込んでいくことで、容易に分解可能となる。
【００３２】
上記、ピン７の固定方法ならびに緩み防止策は、すべて第２側板６の厚み内で可能となるので、ころ３の長さの制限を受けずに、軸受負荷容量を向上させることが可能となる。また、軸受の点検等も容易に行える。
【００３３】
なお、本発明は、上述した実施の形態に限定されず、種々変形可能である。
【図面の簡単な説明】
【００３４】
【図１】（ａ）は、本発明の実施の形態に係るピンタイプ保持器付きころ軸受の断面図であり、（ｂ）は、その側面図である。
【図２】（ａ）は、本発明の実施の形態の第１変形例に係るピンタイプ保持器付きころ軸受の要部の断面図であり、（ｂ）は、本発明の実施の形態の第２変形例に係るピンタイプ保持器付きころ軸受の要部の断面図であり、（ｃ）は、ボルト（ビス）の側面図である。
【図３】従来例（特許文献１）に係るピンタイプ保持器付きころ軸受の断面図である。
【符号の説明】
【００３５】
３  ころ
３ａ  軸孔
４  保持器
５  第１側板
６  第２側板
７  ピン
７ａ  端部
７ｂ  端部
７ｃ  平行ねじ
８  テーパねじ穴
９  テーパ穴
１０  テーパーブッシュ
１１  キリ穴
１２  雌ねじ穴
１３  ボルト（ビス）
１４  すり割り
１５  バネ
１６  ボルト（セットビス）
２０  ナット
【図１】
2006336698.tif 000003
【図２】
2006336698.tif 000004
【図３】
2006336698.tif 000005